【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
遊技領域が形成された遊技板部を有し、当該遊技板部の遊技領域に向けて遊技球が打ち込まれる遊技演出ユニットと、
前記遊技演出ユニットに設けられ、少なくとも装飾図柄の変動表示及び、当該変動表示に続く前記装飾図柄の確定停止表示が行われる変動表示装置と、
前記遊技領域に設けられ、遊技球が入球可能な始動口と、
前記遊技領域に設けられ、遊技球が入賞困難な閉状態と当該閉状態よりも遊技球が入賞容易な開状態とに変化可能な開閉入賞口と、
前記始動口への遊技球の入球を検出する検出手段と、
前記検出手段により遊技球の入球が検出されることに基づき、大当たりの当落にかかる判定を行う当落判定処理、及び、当該当落判定処理にて大当たりに当選した場合に当該大当たりの種別を判定する当選種別判定処理、を行う抽選手段と、
前記当選種別判定処理の結果に基づき、前記確定停止表示に用いる装飾図柄である停止図柄を決定する停止図柄決定手段と、
前記装飾図柄の変動表示を行い、前記当落判定処理において前記大当たりに当選したと判定された場合には、前記停止図柄決定手段にて決定される前記停止図柄による特定態様の確定停止表示を行う変動表示制御手段と、
前記当落判定処理において大当たりに当選したと判定されたことに応じ、前記開閉入賞口を複数回にわたって開閉動作させる大当たり遊技を実行する大当たり遊技実行手段と、
前記大当たり遊技実行手段による大当たり遊技の実行中に行われる大当たり遊技演出を複数種類記憶する演出記憶手段と、
前記演出記憶手段に記憶された前記大当たり遊技演出に対応する複数の演出項目を、前記大当たり遊技実行手段による大当たり遊技に際し、前記変動表示装置に表示可能な演出項目表示制御手段と、
前記演出項目表示制御手段にて表示される前記演出項目の選択期間において随時、所望する演出項目を決定指示可能な操作手段と、
前記操作手段を介した決定指示に基づき、前記演出項目に対応する前記大当たり遊技演出を実行する演出実行手段と、
遊技者にとって比較的不利な遊技状態である通常遊技状態、又は、前記当落判定処理における前記大当たりの当選確率が前記通常遊技状態における当選確率よりも高くなると共に外部から認識可能な態様で進行する有利遊技状態、に遊技状態を制御可能な遊技状態制御手段と
を備え、
前記当選種別判定手段にて判定される大当たりの種別には、前記大当たり遊技実行手段による大当たり遊技の終了後、前記遊技状態制御手段により遊技状態が前記有利遊技状態とされる第１大当たり、及び、前記遊技状態制御手段により遊技状態が前記通常遊技状態とされる第２大当たり、が少なくとも含まれ、
前記停止図柄決定手段は、前記当選種別判定手段にて判定される大当たりの種別に基づき、前記第１大当たりでのみ選択可能な特定図柄及び、全ての大当たりで選択可能な通常図柄のうちのいずれかを前記停止図柄として決定するよう構成されており、
前記当選種別判定手段にて判定される大当たりの種別が前記第１大当たりであり、前記停止図柄決定手段にて決定された図柄が前記通常図柄である場合、前記第１大当たりであることを示唆する昇格演出を実行可能な昇格演出実行手段をさらに備え、
前記昇格演出実行手段は、前記演出項目表示制御手段を介し前記複数の演出項目の一つに特定の演出項目を表示することにより、前記昇格演出を実行する
ことを特徴とする遊技機。
【請求項２】
前記昇格演出実行手段は、
前記演出項目表示制御手段を介し、前記停止図柄決定手段にて決定された前記停止図柄が前記特定図柄である場合には、前記演出項目の一つに前記特定の演出項目を必ず表示する
ことを特徴とする請求項１に記載の遊技機。
【請求項３】
前記昇格演出実行手段は、
前記演出項目表示制御手段を介し、前記停止図柄決定手段にて決定された前記停止図柄が前記特定図柄である場合には、前記演出項目の表示とは別に前記第１大当たりを示唆する情報を表示する
ことを特徴とする請求項１または請求項２に記載の遊技機。
【手続補正２】
【補正対象書類名】明細書
【補正対象項目名】０００７
【補正方法】変更
【補正の内容】
【０００７】
本発明の遊技機は、遊技領域が形成された遊技板部を有し、当該遊技板部の遊技領域に向けて遊技球が打ち込まれる遊技演出ユニットと、前記遊技演出ユニットに設けられ、少なくとも装飾図柄の変動表示及び、当該変動表示に続く前記装飾図柄の確定停止表示が行われる変動表示装置と、前記遊技領域に設けられ、遊技球が入球可能な始動口と、前記遊技領域に設けられ、遊技球が入賞困難な閉状態と当該閉状態よりも遊技球が入賞容易な開状態とに変化可能な開閉入賞口と、前記始動口への遊技球の入球を検出する検出手段と、前記検出手段により遊技球の入球が検出されることに基づき、大当たりの当落にかかる判定を行う当落判定処理、及び、当該当落判定処理にて大当たりに当選した場合に当該大当たりの種別を判定する当選種別判定処理、を行う抽選手段と、前記当選種別判定処理の結果に基づき、前記確定停止表示に用いる装飾図柄である停止図柄を決定する停止図柄決定手段と、前記装飾図柄の変動表示を行い、前記当落判定処理において前記大当たりに当選したと判定された場合には、前記停止図柄決定手段にて決定される前記停止図柄による特定態様の確定停止表示を行う変動表示制御手段と、前記当落判定処理において大当たりに当選したと判定されたことに応じ、前記開閉入賞口を複数回にわたって開閉動作させる大当たり遊技を実行する大当たり遊技実行手段と、前記大当たり遊技実行手段による大当たり遊技の実行中に行われる大当たり遊技演出を複数種類記憶する演出記憶手段と、前記演出記憶手段に記憶された前記大当たり遊技演出に対応する複数の演出項目を、前記大当たり遊技実行手段による大当たり遊技に際し、前記変動表示装置に表示可能な演出項目表示制御手段と、前記演出項目表示制御手段にて表示される前記演出項目の選択期間において随時、所望する演出項目を決定指示可能な操作手段と、前記操作手段を介した決定指示に基づき、前記演出項目に対応する前記大当たり遊技演出を実行する演出実行手段と、遊技者にとって比較的不利な遊技状態である通常遊技状態、又は、前記当落判定処理における前記大当たりの当選確率が前記通常遊技状態における当選確率よりも高くなると共に外部から認識可能な態様で進行する有利遊技状態、に遊技状態を制御可能な遊技状態制御手段とを備え、前記当選種別判定手段にて判定される大当たりの種別には、前記大当たり遊技実行手段による大当たり遊技の終了後、前記遊技状態制御手段により遊技状態が前記有利遊技状態とされる第１大当たり、及び、前記遊技状態制御手段により遊技状態が前記通常遊技状態とされる第２大当たり、が少なくとも含まれ、前記停止図柄決定手段は、前記当選種別判定手段にて判定される大当たりの種別に基づき、前記第１大当たりでのみ選択可能な特定図柄及び、全ての大当たりで選択可能な通常図柄のうちのいずれかを前記停止図柄として決定するよう構成されており、前記当選種別判定手段にて判定される大当たりの種別が前記第１大当たりであり、前記停止図柄決定手段にて決定された図柄が前記通常図柄である場合、前記第１大当たりであることを示唆する昇格演出を実行可能な昇格演出実行手段をさらに備え、前記昇格演出実行手段は、前記演出項目表示制御手段を介し前記複数の演出項目の一つに特定の演出項目を表示することにより、前記昇格演出を実行することを特徴とする。